(57)【要約】【課題】  壁体の法線変更箇所における異形壁体構成部材に関し，溶接加工の手間、断面変形保持、施工誤差、輸送、施工の手間、塗装効率を改良する。【解決手段】  鋼矢板などの壁体構成部材３１の断面方向の所定部位において、壁体構成部材３１の長手方向の所定箇所における所定範囲に亘り、嵌合用スリット３２を有するなどの環状断面部材３３ａからなる筒状継手３３が溶接等の手段で一体的に設けられており、かつ、嵌合用スリット３２のスリット幅ｂが、前記嵌合用スリット３２に嵌合する隣接して配設される壁体構成部材（隣接壁体構成部材）３１の筒状継手側嵌合継手３５を構成する部材の厚さｔ１または、前記筒状継手側嵌合部材３５の厚さｔ２と同等または、それよりも小さめの幅とすることにより、筒状継手３３が板バネのように作用し、砂漏れや漏水を防止・低減できる。【選択図】  図２
2004270437.tif 000002
【特許請求の範囲】
【請求項１】
鋼矢板などの壁体構成部材（３１）の断面方向の少なくとも１以上の所定部位において、前記壁体構成部材（３１）の長手方向の少なくとも１以上の所定箇所における所定範囲に亘り筒状継手（３３）がその長手方向において連続または非連続状態で前記壁体構成部材（３１）に溶接等の手段で一体的に設けられ、前記筒状継手（３３）の断面方向の所定箇所の長手方向において、嵌合用スリット（３２）が設けられていることを特徴とする異形壁体構成部材。
【請求項２】
嵌合用スリット（３２）が設けられている前記筒状継手（３３）を構成する部材が、円筒鋼管や角形鋼管などの環状断面部材であることを特徴とする請求項１記載の異形壁体構成部材。
【請求項３】
前記嵌合用スリット（３２）を有する筒状継手（３３）が、山形鋼等の開断面形状や鋼板で構成されていることを特徴とする請求項１記載の異形壁体構成部材。
【請求項４】
前記嵌合用スリット（３２）のスリット幅が、前記嵌合用スリット（３２）の上方部の所定範囲において、上端部に行くに従って徐々に拡幅している拡幅部（３２０）を有していることを特徴とする請求項１〜３の何れか１項に記載の異形壁体構成部材。
【請求項５】
前記嵌合用スリット（３２）におけるスリットの平面形状が前記筒状継手（３３）の内側に向かって狭くなっていることを特徴とする請求項１〜請求項４の何れか１項に記載の異形壁体構成部材。
【請求項６】
前記拡幅部（３２０）を除く範囲における前記嵌合用スリット（３２）のスリット幅ｂが、前記嵌合用スリット（３２）に嵌合する隣接して配設される壁体構成部材（隣接壁体 構成部材）（３１ｂ）の前記嵌合用スリット（３２）に対応する位置の部材厚さｔと同等またはそれより若干小さめの幅であることを特徴とする請求項１〜５の何れか１項に記載の異形壁体構成部材。
ｔ≧ｂ      （１）
ここに、ｂ：嵌合用スリット（３２）の幅
ｔ：隣接壁体構成部材の嵌合用スリット（３２）に対応する位置の部材厚さ
【請求項７】
前記拡幅部（３２０）を除く範囲における前記嵌合用スリット（３２）のスリット幅ｂが、前記嵌合用スリット（３２）に嵌合する隣接して配設される壁体構成部材（隣接壁体構成部材）（３１ｂ）の前記嵌合用スリット（３２）に対応する位置の部材厚さｔと同等またはそれよりも若干大きめの幅であることを特徴とする請求項１〜５の何れか１項に記載の異形壁体構成部材。
ｔ≦ｂ      （１）
ここに、ｂ：嵌合用スリット（３２）の幅
ｔ：隣接壁体構成部材の嵌合用スリット（３２）に対応する位置の部材厚さ
【請求項８】
請求項１〜７における異形壁体構成部材同士を長手方向に溶接等の手段で連結して構成される長尺の異形壁体構成部材において、前記異形壁体構成部材における壁体構成部材の本体同士のみが溶接等の手段で連結されて連結部（５００）を構成し、前記連結部（５００）の近傍の所定範囲ΔＬには、嵌合用スリット（３２）を有する筒状継手（３３）が配設または非配設されていることを特徴とする異形壁体構成部材。
【請求項９】
筒状継手（３３）の外面所定箇所と壁体構成部材の所定箇所との間に所定形状の鋼製部材（５１０）が配設され、前記鋼製部材（５１０）が溶接等の手段で筒状継手（３３）及び壁体構成部材に連結されていることを特徴とする請求項１〜請求項８の何れか１項に記載の異形壁体構成部材。
【請求項１０】
壁体構成部材の所定範囲に防食層（５２０）が設けられていることを特徴とする請求項１〜９の何れか１項に記載の異形壁体構成部材。
【請求項１１】
請求項１〜１０の何れか１項記載の異形壁体構成部材の筒状継手（３３）における嵌合用スリット（３２）に、隣接壁体構成部材が嵌挿されたことを特徴とする異形壁体構成部材の接続構造。
【請求項１２】
異形壁体構成部材の筒状継手（３３）における嵌合用スリット（３２）に、鋼矢板などの壁体構成部材（３１）の筒状継手側嵌合継手（３５）が嵌挿され、前記嵌合用スリット（３２）と前記筒状継手側嵌合継手（３５）とにより形成された空隙部（２２）が空隙閉鎖部材（２３）により閉鎖されていることを特徴とする請求項１〜１１の何れか１項に記載の異形壁体構成部材の接続構造。
【請求項１３】
前記筒状継手側嵌合継手（３５）が嵌挿された前記異形壁体構成部材の筒状継手（３３）の内部に充填材（３６）が充填されていることを特徴とする請求項１〜１２の何れか１項に記載の異形壁体構成部材の接続構造。
【請求項１４】
隔壁や止端壁を有する二重壁における２列の側壁や一重壁を構成する多数の壁体構成部材の施工誤差量に応じて、壁体構成部材に溶接等の手段で連結された筒状継手（３３）の所定位置に嵌合用スリット（３２）を配設することを特徴とする請求項１〜１３の何れか１項に記載の異形壁体構成部材の製作方法。
【請求項１５】
隔壁や止端壁を有する二重壁における２列の側壁や一重壁を構成する多数の壁体構成部材の施工誤差量に応じて、壁体構成部材に溶接等の手段で連結された筒状継手（３３）の所定位置に嵌合用スリット（３２）が配設されていることを特徴とする請求項１〜１３の何れか１項に記載の異形壁体構成部材。
【請求項１６】
隔壁や止端壁を有する二重壁における２列の側壁や一重壁を構成する多数の壁体構成部材の施工誤差量に応じて、嵌合用スリット（３２）が設けられた筒状継手（３３）を壁体構成部材の所定位置に溶接等の手段で連結することを特徴とする請求項１〜１３の何れか１項に記載の異形壁体構成部材の製作方法。
【請求項１７】
隔壁や止端壁を有する二重壁における２列の側壁や一重壁を構成する多数の壁体構成部材の施工誤差量に応じて、嵌合用スリット（３２）が設けられた筒状継手（３３）が壁体構成部材の所定位置に溶接等の手段で連結されていることを特徴とする請求項１〜１３の何れか１項に記載の異形壁体構成部材。
【請求項１８】
請求項１〜１７の何れか１項に記載の異形壁体構成部材の筒状継手（３３）における前記嵌合用スリット（３２）に嵌合する隣接して配設される壁体構成部材（隣接壁体構成部材）（３１ｂ）において、前記筒状継手側嵌合継手（３５）または前記筒状継手側嵌合継手近傍部材（３５ｂ）の断面方向の所定箇所の所定範囲に位置保持部材（５３０）が配設された位置保持部材付き隣接壁体構成部材（３１ｃ）が前記嵌合用スリット（３２）に嵌合していることを特徴とする異形壁体構成部材の接続構造。
【請求項１９】
前記筒状継手側嵌合継手（３５）が嵌挿された請求項１〜１８の何れか１項に記載の異形壁体構成部材の筒状継手（３３）の内部の空隙部に経時硬化または経時非硬化の充填材（３６）が充填されていることを特徴とする異形壁体構成部材の接続方法。
【請求項２０】
前記筒状継手側嵌合継手（３５）が嵌挿された異形壁体構成部材の筒状継手（３３）の内部の空隙部に経時硬化または経時非硬化の充填材（３６）が充填されていることを特徴とする請求項１〜１８の何れか１項に記載の異形壁体構成部材の接続構造。
【発明の詳細な説明】
【技術分野】
【０００１】
本発明は、護岸、岸壁、防波堤、砂防ダム、掘削土留壁などの土木・建築構造物に用いる、鋼矢板などの壁体構成部材に特殊な継手構造を一体化してなる異形壁体構成部材とその製作方法及び接続構造に関する。
【背景技術】
【０００２】
この種の壁体構成部材が実施される壁体構造物の従来例として、非特許文献「鋼矢板 設計から施工まで、鋼管杭協会、Ｐ２７０〜２７１、２０００．３」が知られている。
【０００３】
また、本発明者の先願に係る特開２００２−２１２９３０号（特願２００１−６１９７、特許文献１）がある。図１７〜図２１によって説明すると、図１７、図１８において、壁体構造物１は、矩形筒状の函体２を備えており、それぞれ互いに対向する一対の前後方向に延長する左右両側壁３、４とおよび、左右方向に延長する前後両止壁５、６が各隅角部材７により接合され、囲繞された中空空間８を有する。函体２は、水底上に築造した割石マウンドＧまたは陸上のマウンドＧ上に複数または多数隣接配置することがある。
【０００４】
前記函体２は、側壁３、４または止壁５、６を形成するように接合される多数の側壁構成部材１０及び、多数の止壁構成部材１２と、止壁５、６と各側壁３、４の互いの端部を接合する隅角部材７とで矩形筒状に枠組み形成され、これら側壁構成部材１０及び止壁構成部材１２は、例えば、両側部に上下方向に連続して延長する継手を備えた断面Ｕ字状の継手付き鋼管矢板等にて形成され、函体２内の中空空間８には、例えば、土砂、砂利等の中詰材９が所定の高さまで充填されている。
【０００５】
前記函体２内の中空空間８は、図１７、図１８のように隔壁で仕切られてない場合と、図１９（ａ）に示すように、側壁３、４間にその中空空間８を複数に区画するように、例えば、嵌合継手付き鋼矢板を相互に直列に接合して構成した隔壁１５を配置するか、あるいは図１９（ｂ）に示すように、側壁３、４間と止壁５、６間に、前記と同様な例えば、嵌合継手付き鋼矢板を相互に直列に接合して構成した隔壁１５、１５が交差するように配置して構成することもある。
【０００６】
前述のように鋼矢板（壁体構成部材）を用いて一重壁等の壁体を構成する場合、鋼矢板の打ち込み法線（イ）を変化させることがある。その際、法線変化点またはその近傍に用いる鋼矢板（壁体構成部材）を異形形状とする必要がある。従来より、鋼矢板（壁体構成部材）の打ち込み法線（イ）を変化させる場合、鋼矢板（壁体構成部材）を切断した「切断鋼矢板」を用いて所定の断面形状に溶接加工した異形鋼矢板が使用されている。この場合、図２０に示すように、隅角部材７として、継手付き鋼管矢板に代えて、平面Ｗ形の矢板本体の両側部に上下方向に連続した継手を備えた継手付き異形鋼矢板７ａを使用する場合がある。さらに、図２１に示すように、２つの辺が鈍角で交わる場合は、隅角部材７として、前記の図２０に示す平面Ｗ形の継手付き異形鋼矢板７ａよりもその平面Ｗ形がさらに拡がった継手付き異形鋼矢板７ｂを使用する場合がある。
【０００７】
前記のように、鋼矢板や鋼管矢板を用いて壁体構造物の壁体を構成する場合、隅角部においては鋼矢板等の打ち込み法線（イ）を変化させることになるが、この隅角部に用いられる鋼矢板や鋼管矢板は異形形状とする必要があり、また、特殊な継手構造が必要になる。従来、壁体を構成する鋼矢板の打ち込み法線（イ）を変化させる場合、鋼矢板を切断した「切断鋼矢板」等を所定の断面形状に溶接加工した異形鋼矢板が使用されている。
【０００８】
また、図２２に示すように、嵌合継手付き鋼矢板を相互に２列直列に接合して構成した両側壁３７の間を、同じく鋼矢板で構成した隔壁３８及び止端壁３９で接合して構成する二重壁４３において、中仕切り用の隔壁３８や終始端の止端壁３９は、通常、対向する２列の側壁３７の間に直角に配置される。この場合、両側壁３７間を直角に接合するため、鋼矢板からなる両側壁３７の鋼矢板４１におけるウエブ背面には切断鋼矢板４２を溶接した異形鋼矢板が使用され、その切断鋼矢板４２の嵌合継手と隔壁３８及び止端壁３９の嵌合継手を嵌合させることで、相互間を直角に接合している。
【特許文献１】特開２００２−２１２９３０号公報
【非特許文献１】鋼矢板 設計から施工まで、鋼管杭協会、Ｐ２７０〜２７１、２０００．３
【発明の開示】
【発明が解決しようとする課題】
【０００９】
（１）鋼矢板（壁体構成部材）を用いて構成される一重鋼矢板壁の法線の変化点に用いる異形鋼矢板は前記多数の鋼矢板の施工誤差のために当初計画の位置に配設されない場合が多く、法線変更用の異形鋼矢板の使用だけでは当初計画の位置で法線を変化させることができない場合がある。
このため、前記一重鋼矢板壁に用いる鋼矢板の一部にその幅を変化させた幅調整用異形鋼矢板を使用せざるを得ず、建設コストが嵩むといった問題があった。
【００１０】
（２）二重鋼矢板壁における中仕切り用の隔壁や止端壁は、通常、対向する２列の側壁の間に直角に配置される。
【００１１】
また、側壁を構成する所定の鋼矢板（異形鋼矢板）には、隔壁や止端壁の端部にお配設される鋼矢板と接続するための接続鋼矢板（鋼矢板を切断したもの）が溶接等の手段により一体的に連結されている（図２２参照）。
【００１２】
このため、隔壁や止端壁の端部に配設される鋼矢板と前記切断した鋼矢板を用いた接続部材との継手嵌合部の遊間は数ｍｍ程度とほんの僅かである。
【００１３】
したがって、対向する２列の側壁を構成する多数の鋼矢板の施工精度が悪い（施工誤差が大きい）と、異形鋼矢板が当初計画の位置に配置されないため、隔壁の端部に配設される鋼矢板の継手が、切断した鋼矢板からなる接続部材の継手と嵌合することが困難となるといった問題があった。
【００１４】
このため、隔壁を構成する鋼矢板の一部に鋼矢板の断面幅を変化させた幅調整用異形鋼矢板を使用せざるを得ず、建設コストが嵩むといった問題があった。
【００１５】
（３）切断した鋼矢板を用いる従来の異形鋼矢板に防食塗装を施す場合、断面形状が複雑なため、防食層を設けることが困難であったり、塗装効率が低下する場合があった。     
【００１６】
（４）切断した鋼矢板を用いる従来の異形鋼矢板は、溶接加工に伴う熱歪が大きく、矯正に手間がかかり、加工コストが嵩むといった問題があった。
【００１７】
（５）切断した鋼矢板を用いる従来の異形鋼矢板は、断面が変形しやすいため、断面形状の保持が困難な場合があった。
【００１８】
（６）切断した鋼矢板を用いる従来の異形鋼矢板は、断面が変形しやすいため、打設施工に伴う、施工誤差が発生しやすいといた問題があった。
【００１９】
（７）切断した鋼矢板を用いる従来の異形鋼矢板は、断面形状が複雑でかさばる場合が多く、輸送や保管時の変形対策が必要になるといった問題があった。
【００２０】
（８）切断した鋼矢板を用いる従来の異形鋼矢板は、バイブロハンマーのチャック（鋼矢板把持装置）のつかみ代を確保できない場合があった。このような場合、異形鋼矢板の頭部にチャッキングプレートを溶接して対応せざるを得ず、コストが嵩むといった問題があった。
【００２１】
（９）切断した鋼矢板を用いる従来の異形鋼矢板は、この切断した鋼矢板の継手に嵌合される隣接鋼矢板長さとほぼ同一長さである場合が多かった。このため、材料費や加工費が嵩むといった問題があった。
【００２２】
（１０）異形鋼矢板と隣接鋼矢板の接続は、所詮、鋼矢板の継手同士の嵌合であるため、継手嵌合部の遊間は数ｍｍ程度とほんの僅かである。このため、異形鋼矢板と隣接鋼矢板の位置関係の調整が困難であった。異形鋼矢板と非異形鋼矢板の接続は、所詮、鋼矢板の継手同士の嵌合であるため、異形鋼矢板と非異形鋼矢板の位置関係の調整が困難であった。
【００２３】
（１１）切断した鋼矢板を用いる従来の異形鋼矢板はその形状が複雑で、寸法も変化に富むため、全自動溶接の適用が困難であった。このため、手動溶接や半自動溶接を採用せざるを得ず、加工コストが嵩んでいた。
【００２４】
（１２）切断した鋼矢板を用いる従来の異形鋼矢板は、断面形状が複雑なため、複数の異形鋼矢板を長手方向に連結して長尺化するには、大変な労力を要していた。また、連結部の断面の力学性能が不明確であった。
【００２５】
このように、従来の異形鋼矢板では、溶接接合加工の手間、断面形状保持、施工誤差対応、輸送、施工の手間、塗装効率その他の点で改良すべき点があった。前記した従来技術の問題点を踏まえ、異形壁体構成部材には、下記に示す性能が求められていた。
【００２６】
〔１〕多数の壁体構成部材の施工誤差を吸収しやすい継手構造であること。
〔２〕土砂漏れ（吹出し）や漏水を防止・低減できる継手構造であること。
〔３〕地盤への打ち込み抵抗が小さい継手構造であること。
〔４〕断面形状が単純・コンパクトで、変形しずらく、輸送効率の良い継手構造であること。
【００２７】
〔５〕製作コストが安価な継手構造であること。
〔６〕長尺化加工を容易に行え、かつ連結部の断面性能等の力学性能が明確な継手構造であること。
〔７〕防食層を効率的に設けることができること。
【００２８】
本発明は、前記〔１〕〜〔７〕の課題に応えることができる、異形壁体構成部材とその接続構造及び製作方法を提供することを目的とする。
【課題を解決するための手段】
【００２９】
前記の目的を達成するため、本発明は次のように構成する。
【００３０】
第１の発明は、鋼矢板などの壁体構成部材（３１）の断面方向の少なくとも１以上の所定部位において、前記壁体構成部材（３１）の長手方向の少なくとも１以上の所定箇所における所定範囲に亘り筒状継手（３３）がその長手方向において連続または非連続状態で前記壁体構成部材（３１）に溶接等の手段で一体的に設けられ、前記筒状継手（３３）の断面方向の所定箇所の長手方向において、嵌合用スリット（３２）が設けられていることを特徴とする。
【００３１】
第２の発明は、第１の発明において、嵌合用スリット（３２）が設けられている前記筒状継手（３３）を構成する部材が、円筒鋼管や角形鋼管などの環状断面部材であることを特徴とする。
【００３２】
第３の発明は、第１の発明において、前記嵌合用スリット（３２）を有する筒状継手（３３）が、山形鋼等の開断面形状や鋼板で構成されていることを特徴とする。
【００３３】
第４の発明は、第１〜第３のいずれかの発明において、前記嵌合用スリット（３２）のスリット幅が、前記嵌合用スリット（３２）の上方部の所定範囲において、上端部に行くに従って徐々に拡幅している拡幅部（３２０）を有していることを特徴とする。
【００３４】
第５の発明は、第１〜第４の何れかの発明において、前記嵌合用スリット（３２）におけるスリットの平面形状が前記筒状継手（３３）の内側に向かって狭くなっていることを特徴とする。
【００３５】
第６の発明は、第１〜第５の何れかの発明において、前記拡幅部（３２０）を除く範囲   における前記嵌合用スリット（３２）のスリット幅ｂが、前記嵌合用スリット（３２）に嵌合する隣接して配設される壁体構成部材（隣接壁体構成部材）（３１ｂ）の前記嵌合用スリット（３２）に対応する位置の部材厚さｔと同等またはそれよりも若干小さめの幅であることを特徴とする。
ｔ≧ｂ      （１）
ここに、ｂ：嵌合用スリット（３２）の幅
ｔ：隣接壁体構成部材の嵌合用スリット（３２）に対応する位置の
部材厚さ
【００３６】
第７の発明は、第１〜第５の何れかの発明において、前記嵌合用スリット（３２）のスリット幅が、これに嵌挿される前記筒状継手側嵌合継手（３５）における嵌挿部（３５０）の厚さ（３６０）と同一または若干大きめであることを特徴とする。
【００３７】
第８の発明は、第１〜第７の何れかの発明において、異形壁体構成部材同士を長手方向に溶接等の手段で連結して構成される長尺の異形壁体構成部材において、前記異形壁体構成部材における壁体構成部材の本体同士のみが溶接等の手段で連結されて連結部（５００）を構成し、前記連結部（５００）の近傍の所定範囲ΔＬには、嵌合用スリット（３２）を有する筒状継手（３３）が配設または非配設されていることを特徴とする。
【００３８】
第９の発明は、第１〜第８の何れかの発明において、筒状継手（３３）の外面所定箇所と壁体構成部材の所定箇所との間に所定形状鋼製部材（５１０）が配設され、前記鋼製部材（５１０）が溶接等の手段で壁体構成部に連結されていることを特徴とする。
【００３９】
第１０の発明は、第１〜第９の何れかの発明において、壁体構成部材の所定範囲に防食層（５２０）が設けられていることを特徴とする。
【００４０】
第１１の発明は、第１〜第１０の何れかの発明において、異形壁体構成部材の筒状継手（３３）における嵌合用スリット（３２）に、隣接壁体構成部材が嵌挿されたことを特徴とする。
【００４１】
第１２の発明は、第１〜第１１の何れかの発明において、異形壁体構成部材の筒状継手（３３）における嵌合用スリット（３２）に、鋼矢板などの壁体構成部材（３１）の筒状継手側嵌合継手（３５）が嵌挿され、前記嵌合用スリット（３２）と前記筒状継手側嵌合継手（３５）とにより形成された空隙部（２２）が空隙閉鎖部材（２３）により閉鎖されていることを特徴とする。
【００４２】
第１３の発明は、第１〜第１２の何れかの発明において、前記筒状継手側嵌合継手（３５）が嵌挿された前記異形壁体構成部材の筒状継手（３３）の内部に充填材（３６）が充填されていることを特徴とする。
【００４３】
第１４の発明は、第１〜第１３の何れかの発明において、隔壁や止端壁を有する二重壁における２列の側壁や一重壁を構成する多数の壁体構成部材の施工誤差量に応じて、壁体構成部材に溶接等の手段で連結された筒状継手（３３）の所定位置に嵌合用スリット（３２）を配設することを特徴とする。
【００４４】
第１５の発明は、第１〜第１３の何れかの発明において、隔壁や止端壁を有する二重壁における２列の側壁や一重壁を構成する多数の壁体構成部材の施工誤差量に応じて、壁体構成部材に溶接等の手段で連結された筒状継手（３３）の所定位置に嵌合用スリット（３２）が配設されていることを特徴とする。
【００４５】
第１６の発明は、第１〜第１３の何れかの発明において、隔壁や止端壁を有する二重壁における２列の側壁や一重壁を構成する多数の壁体構成部材の施工誤差量に応じて、嵌合用スリット（３２）が設けられた筒状継手（３３）を壁体構成部材の所定位置に溶接等の手段で連結することを特徴とする。
【００４６】
第１７の発明は、第１〜第１３の何れかの発明において、隔壁や止端壁を有する二重壁における２列の側壁や一重壁を構成する多数の壁体構成部材の施工誤差量に応じて、嵌合用スリット（３２）が設けられた筒状継手（３３）が壁体構成部材の所定位置に溶接等の手段で連結されていることを特徴とする。
【００４７】
第１８の発明は、第１〜第１７の何れかの発明において、異形壁体構成部材の筒状継手（３３）における前記嵌合用スリット（３２）に嵌合する隣接して配設される壁体構成部材（隣接壁体構成部材）（３１ｂ）において、前記筒状継手側嵌合継手（３５）または前記筒状継手側嵌合継手近傍部材（３５ｂ）の断面方向の所定箇所の所定範囲に位置保持部材（５３０）が配設された位置保持部材付き隣接壁体構成部材（３１ｃ）が前記嵌合用スリット（３２）に嵌合していることを特徴とする。 
【００４８】
第１９の発明は、第１〜第１８の何れかの発明において、前記筒状継手側嵌合継手（３５）が嵌挿された請求項１〜１８の何れか１項に記載の異形壁体構成部材の筒状継手（３３）の内部の空隙部に経時硬化または経時非硬化の充填材（３６）が充填されていることを特徴とする。
【００４９】
第２０の発明は、第１〜第１８の何れかの発明において、前記筒状継手側嵌合継手（３５）が嵌挿された異形壁体構成部材の筒状継手（３３）の内部の空隙部に経時硬化または経時非硬化の充填材（３６）が充填されていることを特徴とする。 
【発明の効果】
【００５０】
本発明によると、次の効果がある。
【００５１】
（１）鋼矢板などの壁体構成部材に筒状継手を溶接するだけで異形壁体構成部材を製作でき、鋼矢板などの壁体構成部材の切断・溶接・矯正が伴わないため、加工能率に優れており加工コストが安い。すなわち、鋼矢板などの壁体構成部材に筒状継手を溶接したり、嵌合スリットを設けるだけで異形壁体構成部材を製作できる。
（２）溶接加工に伴う熱歪が小さく、矯正が容易であるため、製作コストが安価である。また、異形壁体構成部材としての断面形状がほぼ特定されるので、加工治具も少なくて済み製作コストを一層低減できる。
【００５２】
（３）鋼矢板などの壁体構成部材に筒状継手を溶接したコンパクトな断面なので、断面が変形しずらく、断面形状の確保が容易である。このため、輸送効率がよく、輸送や保管時における変形対策が簡易な方法ですむ。
（４）鋼矢板などの壁体構成部材に筒状継手を溶接したコンパクトな断面なので、地盤への打ち込み抵抗が少なく、打ち込みに伴う断面の変形も少なく、施工誤差が発生しずらい。
【００５３】
（５）筒状部材の大きさ、嵌合用スリットの設置部位・幅・切断角度などを変化させることにより、接続部における隣接鋼矢板の配置位置を調整することができるので、壁体構成部材の施工誤差を吸収しやすい。
【００５４】
（６）隣接鋼矢板における筒状継手側嵌合継手の筒状継手に設けられた嵌合用スリットへの嵌合状態を変化させることにより、接続部における隣接鋼矢板の配置位置を調節することができる。
【００５５】
（７）鋼管等の筒状部材へ設ける嵌合スリットの幅を調整できる継手構造なので、土砂漏れ（吹出し）や漏水を防止・低減できる。
特に、筒状部材へ設ける嵌合スリットの幅ｂが、これに嵌合する隣接して配設される壁構成部材（隣接壁体構成部材）の筒状継手側嵌合継手を構成する部材の厚さ（ｔ１）、または前記筒状継手側嵌合継手近傍の部材の厚さ（ｔ２）と同等またはそれよりも若干小さめの幅である場合には、筒状部材が板バネのように挙動するので、土砂漏れ（吹出し）や漏水防止に一層効果がある。
【００５６】
（８）嵌合用スリットに嵌合する隣接壁体構成部材の継手または、継手近傍の所定箇所に位置保部材が溶接等の処断で配置されるので、壁体構成部材の施工精度を調整できる。 
【００５７】
（９）嵌合用スリットのスリット幅が上方部にいくに従って、徐々に広がっている（Ｙ字状）ので、これに嵌合する壁体構成部材の嵌合を容易に行うことができる。
【００５８】
（１０）筒状継手を壁体構成部材の天端より５０ｃｍ程度下げて取り付けることにより、バイブロハンマーのチャック（鋼矢板把持装置）のつかみ幅・深さは、非異形鋼矢板と全く同様となるため、従来の異形鋼矢板のようにつかみ代が確保できないという問題はない。したがって、チャッキングプレートを溶接する必要はない。
【００５９】
（１１）防食塗装を施そうとする場合、断面形状が単純でコンパクトなため、塗装効率がよい。
【００６０】
（１２）鋼管等の筒状部材の外面の所定箇所と壁体構成部材の所定箇所との間に所定の角度で鋼板を配置し、前記鋼板を鋼管等の筒状部材と壁体構成部材とに溶接等の手段で一体的に連結しているので、防食層を確実に配置できる。
【００６１】
（１３）筒状継手の取付範囲は、従来技術のように隣接鋼矢板の長さとほぼ同一の範囲とする必要はない。すなわち、土留鋼管矢板壁と同様に，基礎地盤面下、２〜３ｍないしは［Ｅｓ／４ＥＩ］−１／４程度まででよい。
ここに、１／β＝［Ｅｓ／４ＥＩ］−１／４
β：壁体の特性値
Ｅｓ：地盤の変形係数
ＥＩ：壁体の曲げ剛性
【００６２】
（１４）複数の異形壁体構成部材同士を溶接等の手段で連結して構成された長尺の異形壁体構成部材において、壁体構成部材の本体同士の連結を容易に行うことができる。
【００６３】
（１５）複数の異形壁体構成部材同士を溶接等の手段で連結して構成された長尺の異形壁体構成部材において、壁体構成部材の本体同士を溶接等の手段で連結し連結部を構成した後、この上に短尺の鋼管等からなる筒状部材を配置し、これを溶接等の手段で連結すればよいので、簡単に長尺の異形壁体構成部材を製作できる。連結部の断面性能は、壁体構成部材の本体同士の連結部と同一であるため、力学性能が明確である。
【００６４】
（１６）二重壁の側壁や二重壁を構成する多数の壁体構成部材の施工状況に応じて、鋼管等の筒状部材からなる接続部材の所定箇所に嵌合用スリットを設けることができるので、一層壁体構成部材の施工誤差を吸収することができる。
【発明を実施するための最良の形態】
【００６５】
以下、本発明の実施形態を図を参照して説明する。
【００６６】
図１〜図４は、本発明の第１実施形態を示し、図１（ａ）の壁体構造物１６は、一対の側壁１７、１８、一対の止壁と隔壁（以下、両方を合せて止壁という）１９、２０とを平面的にみて矩形に組んで構成した函体２１を有している。一対の側壁１７、１８、一対の止壁１９、２０は、それぞれ鋼矢板からなる壁体構成部材３１を嵌合継手３５ａを介して接続して構成される。また、函体２１内の内部空間２４には中詰材が充填される（図示を省略する）。
【００６７】
従来、この種の壁体構造物１６における止壁１９、２０の端部と側壁１７、１８との互いの隅部を接合する隅角部材には、鋼矢板を切断した「切断鋼矢板」等の所定の断面形状に溶接加工した異形鋼矢板が用いられるが、これらの隅角部材の製作に関しては，熱歪、強度、コスト、施工性、寸法精度などの点で問題があることについては先に説明した。
【００６８】
本発明は、止壁１９、２０の端部と側壁１７、１８との接続部に用いられる異形壁体構成部材の合理的な構造および、それと壁体構成部材との合理的な接続構造にあり、以下説明する。
【００６９】
第１実施形態においては、止壁１９、２０の端部と側壁１７、１８との接続部（つまり、隅角継手部２５におけるウェブ２６とフランジ２７を有する鋼矢板製の壁体構成部材３１のウェブ背面２６ａ）には、嵌合用スリット３２を有する筒状継手３３が溶接２８にて固着されて異形壁体構成部材３１ａが構成されている。
【００７０】
溶接部２８の詳細を図１６に例示す。同図に示すように、壁体構成部材３１のウェブ背面２６ａと筒状継手３３の円弧状接触部の両側に溶材の抜け落ち防止部材として棒鋼２９を長手方向に配置して溶接している。図２に示すように、筒状継手３３は、例えば、円筒鋼管や角形鋼管などの環状断面部材３３ａで構成し、この環状断面部材３３ａの断面方向の所定部位において、該環状断面部材３３ａの長手方向に亘り嵌合用スリット３２を設けた部材で構成される。筒状継手３３の長さは、壁体構成部材３１の全長に渡って設けてもよいし、壁体構成部材３１の全長よりも短くし、所定の範囲に亘って設けてもよい。
【００７１】
異形壁体構成部材３１ａにおける筒状継手３３の内部空間には、鋼矢板からなる壁体構成部材３１の端部における筒状継手側嵌合継手３５が収容されており、嵌合用スリット３２に壁体構成部材３１のウェブ１６の一部が嵌合されている。筒状継手３３の内部空間に筒状継手側嵌合継手３５を収容するには、筒状継手３３の上端開口部から壁体構成部材３１を落とし込むように操作することで、図示のように筒状継手３３の内部空間に前記筒状継手側嵌合継手３５を収容できる。筒状継手側嵌合継手３５を収容した筒状継手３３の内部空間には、経時硬化性充填材３６が充填されている。
【００７２】
前記の隅角継手部２５を構成する筒状継手３３の内部空間において、筒状継手３３の嵌合用スリット３２を介して筒状継手側嵌合継手３５を先端に有するフランジ２７ａの挿入長を調節し、あるいは嵌合用スリット３２に対するフランジ２７ａの挿入角度を調整する。すなわち、筒状継手３３の内部空間における壁体構成部材３１の筒状継手側嵌合継手３５の収まり位置を内部空間内で前後左右に調整したうえ、経時硬化性充填材３６を充填してその硬化を待つ。これにより、止壁１９、２０と側壁１７、１８の間隔を調整できると共に、止壁１９と止壁１９（隔壁１９ａ）の間隔を調整できる。
【００７３】
図２（ａ）、（ｂ）は、側壁１７、１８と止壁１９、２０が直角に交わる隅角継手部２５において、止壁１９、２０における壁体構成部材３１の筒状継手側嵌合継手３５が異形壁体構成部材３１ａにおける筒状継手３３の内部空間のほぼ中心に位置している標準的な設置態様例を示す。また、図３（ａ）、（ｂ）は、止壁１９、２０の筒状継手側嵌合継手３５が筒状継手３３の内部空間の中心から図示上方にずれて設置された例を示す。図４（ａ）、（ｂ）は、止壁１９、２０の筒状継手側嵌合継手３５が筒状継手３３の内部空間の中心から側壁１７、１８の側にずれて設置した例を示す。これにより、前記のように止壁１９、２０と側壁１７、１８の間隔を調整できると共に、止壁１９と止壁１９（隔壁１９ａ）の間隔を調整できる。
【００７４】
図５〜図９は、第２〜第６実施形態を示し、以下順に説明する。
【００７５】
図５は第２実施形態を示す。この第２実施形態では、筒状継手３３における嵌合用スリット３２のスリット幅（ｂ）が、前記嵌合用スリット３２に嵌合する隣接して配設される壁体構成部材（隣接壁体構成部材）３１ｂの筒状継手側嵌合継手３５を構成する部材の厚さｔ１または、前記筒状継手側嵌合継手近傍の部材３５ｂの厚さ（ｔ２）と同等またはそれよりも小さめの幅に設けられている。
ｔ≧ｂ      （１）
ここに、ｂ：嵌合用スリット３２の幅
ｔ：隣接壁体構成部材の嵌合用スリット（３２）に対応する位置の     
部材厚さ
【００７６】
このように構成することにより、筒状継手３３が嵌合用スリット３２の両側で板バネのように挙動するので、筒状継手側嵌合継手３５と嵌合用スリット３２が密接して土砂漏れ（吹出し）や漏水防止に一層効果がある。  
【００７７】
図６は第３実施形態を示す。この第３実施形態においては、筒状継手３３における嵌合用スリット３２のスリット幅が、前記嵌合用スリット３２の上方部の所定範囲において、上端部に行くに従って徐々に略Ｙ字状に拡幅している拡幅部３２０を有している。
【００７８】
前記のように構成することにより、嵌合用スリット３２のスリット幅が拡幅部３２０において、上方部にいくに従って、徐々に広がっているので、これに嵌合する筒状継手側嵌合継手３５の上方からの嵌合を容易に行うことができる。
【００７９】
図７に示す第４実施形態においては、異形壁体構成部材３１ａにおける壁体構成部材３１の本体同士のみが溶接２８等の手段で連結されて連結部５００を構成し、連結部５００の近傍の所定範囲ΔＬには、嵌合用スリット３２を有する筒状継手３３が配設または非配設されている。すなわち、ΔＬ１＝ΔＬ２＝３０ｃｍ程度の溶接作業スペースを形成することで、筒状継手３３の端部は連結部５００から離間して設けられており、この所定範囲ΔＬは空間部とするか、連結部５００を溶接した後、後加工で所定範囲ΔＬに短寸の筒状継手を配設してもよい（但し、図示省略する）。
【００８０】
前記のように構成することにより、壁体構成部材３１の端部に筒状継手３３が存在しない、溶接作業スペースを設けることで壁体構成部材３１の本体同士の連結を容易に行うことができる。
【００８１】
図８は第５実施形態を示す。この第５実施形態においては、長尺の筒状継手３３が切離線４５の部位で切離されて、短尺筒状継手ａ１、ａ２、ａ３、ａ４、のように非連続に構成されている。ここで非連続とは、短尺筒状継手ａ１〜ａ４の切離線４５のスリットΔｂｉが、（１）Δｂｉ≠０に配設される場合と、（２）Δｂｉ＝０（メタルタッチ）で配設される場合と、（３）短尺筒状継手ａ１〜ａ４同士が切離線４５の部位において、点つけ程度で溶接（点付け溶接、つまり、スリットの通りを確保する程度の溶接）の場合とを含む。なお、請求項１における連続とは、短尺筒状継手ａ１〜ａ４が１本物で構成されている場合をいう。
【００８２】
前記のとおり筒状継手３３を非連続に構成することにより、各短尺筒状継手ａ１〜ａ４が短寸で分離されているので、特に、壁体構成部材の継手または継手近傍の部材の厚さ（ｔ）、嵌合用スリット３２の幅（ｂ）がｔ＞ｂのとき、各筒状継手３３に嵌合用スリット３２を介して板バネ作用を発揮させやすく、嵌合用スリット３２に嵌合する壁体構成部材３１を確実に挟持することができる。また、複数の壁体構成部材３１同士を溶接等の手段で連結して構成された長尺の異形壁体構成部材３１ａにおいて、壁体構成部材３１の本体同士を溶接等の手段で連結し連結部を構成した後、この上に前記短尺の鋼管等からなる筒状部材を配置し、これを溶接等の手段で連結してもよく、このようにすると簡単に長尺の異形壁体構成部材を製作できる。
【００８３】
図９は第６実施形態を示す。この第６実施形態では、異形壁体構成部材の筒状継手３３における前記嵌合用スリット３２に嵌合する隣接して配設される壁体構成部材（隣接壁体構成部材）３１ｂにおいて、前記筒状継手側嵌合継手３５または前記筒状継手側嵌合継手近傍部材３５ｂの断面方向の所定箇所の所定範囲に位置保持部材５３０が配設された位置保持部材付き隣接壁体構成部材３１ｃが前記嵌合用スリット３２に嵌合している。
【００８４】
前記の構成によると、嵌合用スリット３２に嵌合する隣接壁体構成部材３１ｃの継手３５または、継手近傍の所定箇所３５ｂに位置保部材５３０が溶接等の手段で配置されるので、壁体構成部材３１の施工精度を調整できる。  
【００８５】
図１０、図１１は、第７実施形態を示す。この第７実施形態においては、嵌合用スリット３２を有する筒状継手３３が、ウェブ２６とフランジ２７を有する鋼矢板製の壁体構成部材３１における該ウェブ２６とフランジ２７が交わる内面側に設けられている点が、第１実施形態と相異し、他の構成は第１実施形態と同じでる。すなわち、筒状継手３３の嵌合用スリット３２に筒状継手側嵌合継手３５を先端に有するフランジ２７ａが嵌合され、その筒状継手側嵌合継手３５を筒状継手３３の内部空間に設置したうえ、この内部空間に経時硬化性充填材３６を充填してその設置の位置決めをしている。第７実施形態の隅角継手部２５においても、止壁１９、２０の端部における壁体構成部材３１の筒状継手側嵌合継手３５を筒状継手３３の内部空間で前後左右に移動調整して設置できる。 
【００８６】
図１２は第８実施形態を示す。この第８実施形態においては、鋼矢板などの壁体構成部材３１の内面または外面に溶接２８または非溶接で固着された筒状継手３３の外面所定箇所と、壁体構成部材３１の所定箇所との間に所定の角度で鋼製部材５１０が配設され、前記鋼製部材５１０が溶接等の手段で壁体構成部材３１に連結されている。さらに、壁体構成部材３１の筒状継手３３を取り付けた側の内面または外面に所定範囲にわたり防食層５２０が設けられている。
【００８７】
前記構成によると、鋼管等の筒状継手３３の外面の所定箇所と壁体構成部材３１の所定箇所との間に所定の角度で鋼製部材５１０を配置し、前記鋼製部材５１０を筒状継手３３と壁体構成部材３１とに溶接等の手段で一体的に連結することで、鋼製部材５１０により筒状継手３３と壁体構成部材３１の間に形成される凸凹を少なくしフラットな面を形成しており、このフラットな面に沿って防食層５２０を確実に配置できる。
【００８８】
図１３、図１４は、第９実施形態を示す。第１、第２実施形態では、隅角継手部２５において、止壁１９、２０と側壁１７、１８が直角に交わる例を示したが、この第９実施形態では、止壁１９、２０と側壁１７、１８が或る角度で交わる場合における隅角継手部２５ａを示している。基本的には、第１実施形態と同じであり、壁体構成部材３１のウェブ背面２６ａの中心から幅方向一側縁側にずれた位置に筒状継手３３が溶接されており、かつ、筒状継手３３の嵌合用スリット３２の位置を少し回転して溶接している。この第９実施形態でも、筒状継手３３の嵌合用スリット３２に止壁１９、２０における筒状継手側嵌合継手３５を先端に有するフランジ２７ａが嵌合され、フランジ先端の筒状継手側嵌合継手３５を筒状継手３３の内部空間に設置したうえ、この内部空間に経時硬化性充填材３６を充填してその設置の位置決めをしている。第９実施形態の隅角継手部２５ａにおいても、壁体構成部材３１の筒状継手側嵌合継手３５を筒状継手３３の内部空間で前後左右に移動調整して設置できる。
【００８９】
第９実施形態の比較例として、図２１に示す例を説明する。この従来例では、平面Ｗ形が大きく拡がった継手付き異形鋼矢板７ｂを使用して２つの辺が鈍角で交わる部位での隅角部材７を構成しているが、継手付き異形鋼矢板７ｂは、鋼矢板の切断や接合部の溶接作業などの面倒な作業が必要である。しかるに、第９実施形態の構成とすると、従来のような面倒な切断作業や溶接作業が不要となる。
【００９０】
図１５（ａ）、（ｂ）は、筒状継手３３に、嵌合用スリット３２を両側から閉鎖する空隙閉鎖部材２３を固定具１４を用いて取り付けた状態を示す。この空隙閉鎖部材２３は、ゴム、弾性プラスチック、金属板などの弾性部材で構成され、筒状継手側嵌合継手３５を先端に有するフランジ２７ａは両側の空隙閉鎖部材２３を押し広げて筒状継手３３の嵌合用スリット３２に嵌合されるので、筒状継手３３に充填した経時硬化性充填材３６が硬化前に嵌合用スリット３２から流出する不具合を解消できる。なお、図１５（ｃ）は、嵌合用スリット３２の両側に空隙閉鎖部材２３を設けない例を示す。この場合は、図示しない別部材により空隙閉鎖手段を施すか、嵌合用スリット３２の幅を狭く調整し、或いは硬化時間の短い経時硬化性充填材３６を使用することなどによっても、該経時硬化性充填材３６が硬化前に嵌合用スリット３２から流出する不具合を解消できる。
【００９１】
図１５（ｄ）は、フランジ２７ａとの間に殆ど隙間が生じない程度に嵌合用スリット３２の幅を狭く調整し、経時硬化性充填材３６を充填しない例を示す。また、図１５（ｄ）において、前記嵌合用スリット３２の幅をこれに嵌挿される前記筒状継手側嵌合継手３５における嵌挿部３５０の厚さ３６０と同一または若干大きめまたは小さめに設けるとよい。
【００９２】
また、鋼矢板製の壁体構成部材３１におけるフランジ２７ａは、先端の筒状継手側嵌合継手３５から基端側にかけて徐々に肉厚になっている。つまり、フランジ２７ａは筒状継手３３の内側から外側にかけて次第に肉厚であるので、嵌合用スリット３２の幅もそれに合わせて、内側よりも外側が徐々に幅拡となるように形成するとよい。
【００９３】
以上各種の実施形態、運用形態について説明したが、本発明は、前記の構成を適宜設計変更して実施することは構わない。
【図面の簡単な説明】
【００９４】
【図１】（ａ）は、本発明の第１実施形態に係る壁体構造物の概略的縦断面図、（ｂ）は、図（ａ）のＡ部における鋼矢板製の壁体構成部材の背面詳細図である。
【図２】（ａ）は、図１（ａ）のＡ部における拡大断面図、（ｂ）は、図（ａ）における要部拡大図である。
【図３】（ａ）は、図１（ａ）のＡ部における第１変形例の拡大断面図、（ｂ）は、図（ａ）における要部拡大図である。
【図４】（ａ）は、図１（ａ）のＡ部における第２変形例の拡大断面図、（ｂ）は、図（ａ）における要部拡大図である。
【図５】第２実施形態を示し（ａ）は、筒状継手に壁体構成部材の筒状継手側嵌合継手を挿入してない状態の横断面図、（ｂ）は、筒状継手側嵌合継を挿入した状態の横断面図である。
【図６】第３実施形態を示し（ａ）は、筒状継手の平面図、（ｂ）は、筒状継手の正面図である。
【図７】第４実施形態を示し（ａ）は、筒状継手の平面図、（ｂ）は、筒状継手の正面図である。
【図８】第５実施形態を示し（ａ）は、筒状継手の平面図、（ｂ）は、筒状継手の正面図である。
【図９】第６実施形態を示し（ａ）は、筒状継手に位置決め部材を有する筒状継手側嵌合継手を挿入した状態の横断面図、（ｂ）、（ｃ）、（ｄ）、（ｅ）は、位置決め部材を有する筒状継手側嵌合継手の４つの変形例を示す部分図である。
【図１０】（ａ）は、本発明の第７実施形態に係る壁体構造物の概略的縦断面図、（ｂ）は、図（ａ）のＢ部における鋼矢板製の壁体構成部材の背面詳細図である。
【図１１】（ａ）は、図１０（ａ）のＢ部における拡大断面図、（ｂ）は、図（ａ）における要部拡大図である。
【図１２】第８実施形態を示し（ａ）は、筒状継手の防食態様の具体的構造の第１例を示す平面図、（ｂ）は、筒状継手の防食態様の具体的構造の第２例を示す平面図である。
【図１３】（ａ）は、本発明の第９実施形態に係る壁体構造物の概略的縦断面図、（ｂ）は、図（ａ）のＣ部における鋼矢板製の壁体構成部材の背面詳細図である。
【図１４】（ａ）は、図１３（ａ）のＣ部における拡大断面図、（ｂ）は、図（ａ）における要部拡大図である。
【図１５】（ａ）は、異形壁体構成部材における筒状継手の嵌合用スリットを空隙部閉鎖部材で閉鎖し、内部空間に筒状継手側嵌合継手を収容した例の説明図、（ｂ）は、（ａ）において筒状継手の内部空間に経時硬化性充填材を充填した状態の説明図、（ｃ）は、筒状継手の嵌合用スリットを閉鎖する空隙部閉鎖部材がない筒状継手に筒状継手側嵌合継手を収容し経時硬化性充填材を充填した例の説明図、（ｄ）は、筒状継手のスリット幅を狭くし、かつ筒状継手に経時硬化性充填材を充填しない例の説明図である。
【図１６】壁体構成部材のウェブと筒状継手との溶接部の詳細図である。
【図１７】（ａ）は、従来の壁体構造物の概略的縦断面図である。
【図１８】図１７のＤ−Ｄ断面図である。
【図１９】（ａ）、（ｂ）は、従来の壁体構造物の他の２例を示す概略的横断面図である。
【図２０】従来の隅角継手部の一例を示す横断平面図である。
【図２１】従来の隅角継手部の他の例を示す横断面図である。
【図２２】従来のさらに他の例として、異形鋼矢板による二重壁における隅角継手部の連結構造を示す横断面図である。
【符号の説明】
【００９５】
１  壁体構造物
２  函体
３  側壁
４  側壁
５  止壁
６  止壁
７  隅角部材
７ａ  異形鋼矢板
７ｂ  異形鋼矢板
８  中空空間
９  中詰材
１０  側壁構成部材
１２  止壁構成部材
１４  固定具
１５  隔壁
１６  壁体構造物
１７  側壁
１８  側壁
１９  止壁
２０  止壁
２１  函体
２２  空隙部
２３  空隙部閉鎖空間
２４  内部空間
２５  隅角継手部
２５ａ  隅角継手部
２６  ウェブ
２６ａ  ウェブ背面
２７  フランジ
２８  溶接
２９  棒鋼
３１  壁体構成部材
３１ａ  異形壁体構成部材
３１ｂ  隣接壁体構成部材
３１ｃ  隣接壁体構成部材
３２  嵌合用スリット
３３  筒状継手
３３ａ  環状断面部材
３５  筒状継手側嵌合継手
３６  経時硬化性充填材
３７  側壁
３８  隔壁
３９  止端壁
４０  中詰土
４１  鋼矢板
４２  切断鋼矢板
４３  二重壁
４５  切断線
５００  連結部
５１０  鋼製部材
５２０  防食層
５３０  位置保持部材
【図１】
2004270437.tif 000003
【図２】
2004270437.tif 000004
【図３】
2004270437.tif 000005
【図４】
2004270437.tif 000006
【図５】
2004270437.tif 000007
【図６】
2004270437.tif 000008
【図７】
2004270437.tif 000009
【図８】
2004270437.tif 000010
【図９】
2004270437.tif 000011
【図１０】
2004270437.tif 000012
【図１１】
2004270437.tif 000013
【図１２】
2004270437.tif 000014
【図１３】
2004270437.tif 000015
【図１４】
2004270437.tif 000016
【図１５】
2004270437.tif 000017
【図１６】
2004270437.tif 000018
【図１７】
2004270437.tif 000019
【図１８】
2004270437.tif 000020
【図１９】
2004270437.tif 000021
【図２０】
2004270437.tif 000022
【図２１】
2004270437.tif 000023
【図２２】
2004270437.tif 000024